(57)【特許請求の範囲】
【請求項１】
アップリンク伝送制御メッセージをいつ受信すべきか指定する受信スケジューリング情報を含むように、スケジューリングメッセージを生成するスケジューリングメッセージ生成回路であって、前記受信スケジューリング情報はアップリンク伝送チャネルの構成に応じて定義され、前記アップリンク伝送チャネルは共有チャネルである、スケジューリングメッセージ生成回路と、
前記アップリンク伝送チャネルを介した別の通信機器からのアップリンク伝送を制御するためのアップリンク伝送制御メッセージを生成するアップリンク伝送制御メッセージ生成回路と、
前記アップリンク伝送制御メッセージがアップリンク伝送制御ダウンリンクチャネルを介して送信されるように前記受信スケジューリング情報に従って前記アップリンク伝送制御メッセージを送信する送信側回路と
を備える通信機器。
【請求項２】
無線ネットワーク通信機器として構成されている請求項１に記載の通信機器。
【請求項３】
前記受信スケジューリング情報が、前記アップリンク伝送制御ダウンリンクチャネルに事前定義された不連続受信サイクルの数に関する情報である、請求項１または２に記載の通信機器。
【請求項４】
前記送信側回路は、前記別の通信機器の前記アップリンク伝送を制御するために前記生成されたスケジューリングメッセージを送信する、請求項１から３のいずれか一項に記載の通信機器。
【請求項５】
前記アップリンク伝送制御ダウンリンクチャネルが、アップリンク伝送制御メッセージを送信するダウンリンクチャネルである、請求項１から４のいずれか一項に記載の通信機器。
【請求項６】
前記アップリンク伝送制御ダウンリンクチャネルが、競合解決情報を送信するダウンリンクチャネルである、請求項１から５のいずれか一項に記載の通信機器。
【請求項７】
前記アップリンク伝送制御ダウンリンクチャネルがＥ−ＤＣＨ絶対許可チャネルである請求項１から６のいずれか一項に記載の通信機器。
【請求項８】
前記送信側回路が、通信機器が事前定義による通信プロトコル状態にあるときに前記アップリンク伝送制御メッセージを送信するように構成されている、請求項１から７のいずれか一項に記載の通信機器。
【請求項９】
前記送信側回路が、通信機器が事前定義による無線リソース制御状態にあるときに前記アップリンク伝送制御メッセージを送信するように構成されている、請求項８に記載の通信機器。
【請求項１０】
前記送信側回路が、通信機器が前記無線リソース制御状態ＣＥＬＬ＿ＦＡＣＨにあるときに前記アップリンク伝送制御メッセージを送信するように構成されている、請求項９に記載の通信機器。
【請求項１１】
前記アップリンク伝送チャネルは複数の別の通信機器によって使われる共有チャネルであり、
前記アップリンク伝送制御メッセージ生成回路は、前記複数の別の通信機器の少なくとも一つの別の通信機器のために、前記アップリンク伝送制御メッセージを生成して、前記アップリンク伝送チャネルを介した前記少なくとも一つの別の通信機器からのアップリンク伝送を制御するように構成される、請求項１に記載の通信機器。
【請求項１２】
前記送信側回路は、前記別の通信機器のために、前記アップリンク伝送制御ダウンリンクチャネルを介して、
第１の事前定義期間の間は、前記受信スケジューリング情報に従って、競合解決情報またはアップリンク伝送制御メッセージを、
前記第１の期間とは異なる第２の事前定義の期間の間はアップリンク伝送制御メッセージのみを
送信するように構成される、請求項１に記載の通信機器。
【請求項１３】
通信機器においてアップリンク伝送制御メッセージを送信する方法であって、
アップリンク伝送制御メッセージをいつ受信すべきか指定する受信スケジューリング情報を含むように、スケジューリングメッセージを生成するステップであって、前記受信スケジューリング情報はアップリンク伝送チャネルの構成に応じて定義され、前記アップリンク伝送チャネルは共有チャネルである、ステップと、
前記アップリンク伝送チャネルを介した別の通信機器からのアップリンク伝送を制御するためのアップリンク伝送制御メッセージを生成するステップと、
前記アップリンク伝送制御メッセージがアップリンク伝送制御ダウンリンクチャネルを介して送信されるように前記受信スケジューリング情報に従って前記アップリンク伝送制御メッセージを送信するステップと
を含む方法。
【請求項１４】
前記通信機器が無線ネットワーク通信機器として構成されている請求項１３に記載の方法。
【請求項１５】
前記受信スケジューリング情報が、前記アップリンク伝送制御ダウンリンクチャネルに事前定義された不連続受信サイクルの数に関する情報である、請求項１３または１４に記載の方法。
【請求項１６】
前記アップリンク伝送制御ダウンリンクチャネルがＥ−ＤＣＨ絶対許可チャネルである請求項１３から１５のいずれか一項に記載の方法。
【請求項１７】
前記アップリンク伝送制御メッセージを、前記通信機器が事前定義による通信プロトコル状態にあるときに送信する、請求項１３から１６のいずれか一項に記載の方法。
【請求項１８】
前記アップリンク伝送制御メッセージを、前記通信機器が事前定義による無線リソース制御状態にあるときに送信する、請求項１７に記載の方法。
【請求項１９】
前記アップリンク伝送制御メッセージを、前記通信機器が前記無線リソース制御状態ＣＥＬＬ＿ＦＡＣＨにあるときに送信する、請求項１８に記載の方法。
【請求項２０】
スケジューリングメッセージを受信する受信側回路であって、前記スケジューリングメッセージが、アップリンク伝送制御メッセージをいつ受信すべきか指定する受信スケジューリング情報を含んでおり、前記受信スケジューリング情報はアップリンク伝送チャネルの構成に応じて定義され、前記アップリンク伝送チャネルは共有チャネルである、受信側回路と、
前記アップリンク伝送チャネルを介した通信機器からのアップリンク伝送を制御するためのアップリンク伝送制御メッセージを受信するために、前記受信スケジューリング情報に従って、通信機器を受信モードで制御するように構成される、コントローラと
を備える、通信機器。
【請求項２１】
前記アップリンク伝送チャネルを介して別の通信機器にアップリンク伝送を提供する送信機をさらに備える、請求項２０に記載の通信機器。
【請求項２２】
無線端末通信機器として構成されている請求項２０または２１に記載の通信機器。
【請求項２３】
前記受信スケジューリング情報が、複数のアップリンク伝送チャネル構成のうちの選択されたアップリンク伝送チャネル構成に応じて定義されており、
前記コントローラは、通信機器が前記選択されたアップリンク伝送チャネル構成による前記受信スケジューリング情報に従って受信モードで制御されるように、通信機器を制御する、請求項２０から２２のいずれか一項に記載の通信機器。
【請求項２４】
通信機器においてアップリンク伝送制御メッセージを受信する方法であって、
アップリンク伝送制御メッセージをいつ受信すべきか指定する受信スケジューリング情報を含むスケジューリングメッセージを受信するステップであって、前記受信スケジューリング情報はアップリンク伝送チャネルの構成に応じて定義され、前記アップリンク伝送チャネルは共有チャネルである、ステップと、
前記アップリンク伝送チャネルを介した前記通信機器からのアップリンク伝送を制御するためのアップリンク伝送制御メッセージを受信するために、前記受信スケジューリング情報に従って、前記通信機器を受信モードで制御するステップと
を含む方法。
【請求項２５】
アップリンク伝送制御メッセージをいつ受信すべきか指定する受信スケジューリング情報を含むように、スケジューリングメッセージを生成するスケジューリングメッセージ生成回路であって、前記受信スケジューリング情報はアップリンク伝送チャネルの構成に応じて定義され、前記アップリンク伝送チャネルは共有チャネルである、スケジューリングメッセージ生成回路と、
前記前記アップリンク伝送チャネルを介した別の通信機器からのアップリンク伝送を制御するためのアップリンク伝送制御メッセージを生成するアップリンク伝送制御メッセージ生成回路と、
アップリンク伝送制御ダウンリンクチャネルを介して、
第１の事前定義期間の間は競合解決情報またはアップリンク伝送制御メッセージを、
前記第１の事前定義期間とは異なる第２の事前定義の期間の間はアップリンク伝送制御メッセージのみを
送信する送信側回路と
を備える通信機器。
【発明の詳細な説明】
【技術分野】
【０００１】
実施形態は一般に、通信機器、アップリンク伝送制御メッセージを送信する方法、およびアップリンク伝送制御メッセージを受信する方法に関する。
【背景技術】
【０００２】
３ＧＰＰ標準化フォーラムにおいては、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ（広帯域符号分割多元接続））に基づくＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ユニバーサル・モバイル・テレコミュニケーション・システム））のＦＤＤ（Ｆｒｅｑｕｅｎｃｙ  Ｄｉｖｉｓｉｏｎ  Ｄｕｐｌｅｘ（周波数分割二重））モードでのＲＡＣＨ（Ｒａｎｄｏｍ  Ａｃｃｅｓｓ  Ｃｈａｎｎｅｌ（ランダム・アクセス・チャネル））トランスポートチャネルの性能を向上させるために、新しいリリース８作業項目が作成されている。この作業項目の目的は、容量、スループットおよび伝送遅延に関してＲＡＣＨを向上させることである。これらの目標を達成するためには、Ｅ−ＤＣＨ（Ｅｎｈａｎｃｅｄ  Ｄｅｄｉｃａｔｅｄ  Ｃｈａｎｎｅｌ（拡張個別チャネル））トランスポートチャネルがＲＲＣ（Ｒａｄｉｏ  Ｒｅｓｏｕｒｃｅ  Ｃｏｎｔｒｏｌ（無線リソース制御））状態のＣＥＬＬ＿ＦＡＣＨにおいて共通リソースとして使用される、２ミリ秒および１０ミリ秒のＴＴＩ（Ｔｒａｎｓｍｉｓｓｉｏｎ  Ｔｉｍｅ  Ｉｎｔｅｒｖａｌ（伝送時間間隔））のサポート、閉ループ電力制御、ＮｏｄｅＢスケジューリングおよびＨＡＲＱ（Ｈｙｂｒｉｄ  Ａｕｔｏｍａｔｉｃ  Ｒｅｐｅａｔ  Ｒｅｑｕｅｓｔ（ハイブリッド自動再送要求））の各技術が考察される。各移動無線セルにおいて、移動無線セル内のすべてのＵＥ（Ｕｓｅｒ  Ｅｑｕｉｐｍｅｎｔ（ユーザ端末））にブロードキャストされる最大３２までの共通Ｅ−ＤＣＨリソースを構成することができる。
【０００３】
前述のように、Ｅ−ＤＣＨトランスポートチャネルにはＮｏｄｅＢスケジューリングが適用される。すなわち、ＮｏｄｅＢがＵＥのＥ−ＤＣＨ無線リソースを制御する。より詳細には、ＮｏｄｅＢは、ダウンリンクにおいて、ＵＥに対して最大許容Ｅ−ＤＰＤＣＨ（Ｅ−ＤＣＨ  Ｄｅｄｉｃａｔｅｄ  Ｐｈｙｓｉｃａｌ  Ｄａｔａ  Ｃｈａｎｎｅｌ（Ｅ−ＤＣＨ個別物理データチャネル））／ＤＰＣＣＨ（Ｄｅｄｉｃａｔｅｄ  Ｐｈｙｓｉｃａｌ  Ｃｏｎｔｒｏｌ  Ｃｈａｎｎｅｌ（個別物理制御チャネル））電力比を表示するいわゆるスケジューリング許可を送信する。
【０００４】
２種類のスケジューリング許可が指定される。
【０００５】
ｉ）Ｅ−ＡＧＣＨ（Ｅ−ＤＣＨ  Ａｂｓｏｌｕｔｅ  Ｇｒａｎｔ  Ｃｈａｎｎｅｌ（Ｅ−ＤＣＨ絶対許可チャネル））物理チャネル上では、ＵＥが使用し得る最大許容Ｅ−ＤＰＤＣＨ／ＤＰＣＣＨ電力比の絶対的限界を提供する絶対許可が送られる。
【０００６】
ｉｉ）Ｅ−ＲＧＣＨ（Ｅ−ＤＣＨ  Ｒｅｌａｔｉｖｅ  Ｇｒａｎｔ  Ｃｈａｎｎｅｌ（Ｅ−ＤＣＨ相対許可チャネル））物理チャネル上では、ＵＥが使用し得る最大許容Ｅ−ＤＰＤＣＨ／ＤＰＣＣＨ電力比の相対的限界を提供する相対許可が送られる。
【発明の概要】
【発明が解決しようとする課題】
【０００７】
ＮｏｄｅＢスケジューリングに関する現在の作業仮説は、ＵＥはＴＴＩ（（すなわち２ミリ秒または１０ミリ秒）ごとにＥ−ＡＧＣＨ物理チャネルをモニタする必要があるというものである。しかしこれは、ＵＥの電池消費を高くすることになる。
【０００８】
図面において、類似の参照文字は一般に、異なる図においても同じ部分を指すものである。各図面は必ずしも縮尺通りであるとは限らず、全体としては本発明の原理を例示することに重点が置かれている。以下の記述では、添付の図面を参照して本発明の様々な実施形態を説明する。
【図面の簡単な説明】
【０００９】
【図１】リリース７のＵＭＴＳ  ＦＤＤ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｆｒｅｑｕｅｎｃｙ  Ｄｉｖｉｓｉｏｎ  Ｄｕｐｌｅｘ）モード（Ｗ−ＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）によるＲＡＣＨ（Ｒａｎｄｏｍ  Ａｃｃｅｓｓ  Ｃｈａｎｎｅｌ）手順を示す図である。
【図２】リリース８のＵＭＴＳ  ＦＤＤモード（Ｗ−ＣＤＭＡ）によるＥ−ＤＣＨ（Ｅｎｈａｎｃｅｄ  Ｄｅｄｉｃａｔｅｄ  Ｃｈａｎｎｅｌ）拡張ＲＡＣＨ手順を示す図である。
【図３】１０ミリ秒ＴＴＩでのＥ−ＤＣＨ絶対許可とＥ−ＤＰＤＣＨ（Ｅ−ＤＣＨ  Ｄｅｄｉｃａｔｅｄ  Ｐｈｙｓｉｃａｌ  Ｄａｔａ  Ｃｈａｎｎｅｌ）伝送とのタイミング関連付けを示す図である。
【図４】２ミリ秒ＴＴＩ（Ｔｒａｎｓｍｉｓｓｉｏｎ  Ｔｉｍｅ  Ｉｎｔｅｒｖａｌ）でのＥ−ＤＣＨ絶対許可とＥ−ＤＰＤＣＨ伝送とのタイミング関連付けを示す図である。
【図５】一実施形態による通信機器を示す図である。
【図６】一実施形態によるＲＲＣ（Ｒａｄｉｏ  Ｒｅｓｏｕｒｃｅ  Ｃｏｎｔｒｏｌ）状態モデルを示す図である。
【図７】一実施形態によるＥ−ＡＧＣＨ（Ｅ−ＤＣＨ  Ａｂｓｏｌｕｔｅ  Ｇｒａｎｔ  Ｃｈａｎｎｅｌ）のためのフレームおよびサブフレーム構造を示す図である。
【図８】Ｅ−ＡＧＣＨフレーム伝送のための例示的ＤＲＸ（Ｄｉｓｃｏｎｔｉｎｕｏｕｓ  Ｒｅｃｅｐｔｉｏｎ（不連続受信））サイクルを示す図である。
【図９】一実施形態による通信機器においてアップリンク伝送制御メッセージを送信する方法を示す図である。
【図１０】一実施形態による通信機器を示す図である。
【図１１】一実施形態による通信機器においてアップリンク伝送制御メッセージを受信する方法を示す図である。
【図１２】一実施形態によるＥ−ＤＣＨリソース競合解決およびスケジューリングを示す図である。
【発明を実施するための形態】
【００１０】
本発明の実施形態は、アップリンク伝送制御ダウンリンクチャネルを使用してアップリンク伝送を制御する方法を提供する。この制御は、スケジューリングおよび競合解決を含むことができる。
【００１１】
この説明の状況において「アップリンク伝送」は、移動無線通信端末（ＵＥなど）から個々の（ＵＭＴＳなどの）基地局までの信号伝送として理解することができ、「ダウンリンク伝送」は、個々の関連付けられた（ＵＭＴＳなどの）基地局から移動無線通信端末（ＵＥなど）までの信号伝送として理解することができる。
【００１２】
様々な実施形態は、複数の事前定義ＲＲＣ状態のうちの１つであるＣＥＬＬ＿ＦＡＣＨ（Ｆｏｒｗａｒｄ  Ａｃｃｅｓｓ  Ｃｈａｎｎｅｌ（順方向アクセスチャネル））におけるＥ−ＤＣＨリソースの競合解決およびスケジューリングのための定義済み手順を提供、使用し、移動無線通信端末は、ＵＭＴＳやＬＴＥ（Ｌｏｎｇ  Ｔｅｒｍ  Ｅｖｏｌｕｔｉｏｎ（ロング・ターム・エボルーション））などによるものとすることができる。
【００１３】
以下でより詳細に説明するように、様々な実施形態はＵＥ電池消費の低減を実現する。さらに、Ｅ−ＤＣＨ拡張ランダムアクセスから利益を得ることのできる使用事例（ＲＲＣメッセージなどの中型サイズの単一パケットの伝送、ウェブページダウンロードを求めるＨＴＴＰ（Ｈｙｐｅｒｔｅｘｔ  Ｔｒａｎｓｆｅｒ  Ｐｒｏｔｏｃｏｌ（ハイパーテキスト転送プロトコル））要求、および常時接続型アプリケーション）、ＣＥＬＬ＿ＦＡＣＨ状態におけるＥ−ＤＣＨリソース割振りの限られた持続期間（１００ミリ秒の倍数の範囲内など）、ならびにＥ−ＡＧＣＨが競合解決（すなわち、２台以上のＵＥがアップリンク伝送に同じＥ−ＤＣＨリソースを選択した場合）にも使用されることを考慮すると、様々な実施形態によれば、ＴＴＩごとのＥ−ＡＧＣＨモニタリングは不要になるはずである。
【００１４】
さらに、様々な実施形態においては、ＣＥＬＬ＿ＦＡＣＨ状態におけるＥ−ＤＣＨトランスポートチャネルの競合解決およびスケジューリングの解決策も提供される。
【００１５】
図１に、第１の信号伝送図１００としてリリース７におけるＵＭＴＳ  ＦＤＤモード（Ｗ−ＣＤＭＡ）によるＲＡＣＨ手順を示す。
【００１６】
リリース７による、Ｗ−ＣＤＭＡに基づくＵＭＴＳ  ＦＤＤモードにおいては、アップリンク伝送方向での限られた量のデータの不連続伝送のために、以下のようなランダムアクセス手順を指定することができる。
【００１７】
物理ランダム・アクセス・チャネル（ＰＲＡＣＨ）１０２はＲＡＣＨトランスポートチャネル１０４を搬送する。ＲＡＣＨメッセージのＴＴＩ１０６は１０ミリ秒または２０ミリ秒である。各無線セルにおいて、その移動無線セル内のすべてのＵＥにブロードキャストされる最大１６までのＲＡＣＨ／ＰＲＡＣＨ１０２、１０４対を構成することができる。これらのＲＡＣＨ／ＰＲＡＣＨ１０２、１０４対は共通リソースである。すなわちこれらは、移動無線セル内のすべてのＵＥの間で共有される。
【００１８】
ランダムアクセス伝送は、高速取得表示を伴うスロット付きアロハ方式（ｓｌｏｔｔｅｄ  ＡＬＯＨＡ  ａｐｐｒｏａｃｈ）に基づくものである。ＵＥ１１０は、アクセススロット（ＡＳ）１０８として表される、いくつかの明確に定義された時間間隔の初めにランダムアクセス伝送を開始することができる。２無線フレーム当たり１５アクセススロットがあり、各アクセススロットは５１２０チップ間隔で配置される。
【００１９】
ランダムアクセス手順はＰＲＡＣＨプリアンブル取得手順から開始する。すなわち、ＵＥ１１０が、無作為に選択されたアクセススロット１０８において所定の送信電力で４０９６チップの長さのプリアンブルＰ（第１のプリアンブル１１２や第２のプリアンブル１１６など）を送信する。
【００２０】
ＮｏｄｅＢ１１４がプリアンブルＰ（第２のプリアンブルＰ１１６など）を検出した場合、時間τｐ−ａ１２２内に取得表示チャネル（Ａｃｑｕｉｓｉｔｉｏｎ  Ｉｎｄｉｃａｔｏｒ  Ｃｈａｎｎｅｌ（ＡＩＣＨ））１２０上で肯定応答Ａ１１８が送信される。この場合ＵＥ１１０は、所定の時間τｐ−ｍ１２６の後にＲＡＣＨ／ＰＲＡＣＨ上でそのデータを送る。
【００２１】
ＮｏｄｅＢ１１４がプリアンブルを検出しない場合には（第１のプリアンブルＰ１１２がＵＥ１１０によって送られている場合でさえも）、ＡＩＣＨ１２０上ではＮｏｄｅＢ１１４によって何も送信されない。この新しいプリアンブル（第２のプこの場合ＵＥ１１０は普通、無作為に選択された時間τｐ−ｐ１２４の後に無作為に選択された新しいアクセススロットにおいて無作為に選択された新しいプリアンブルＰ（第２のプリアンブルＰ１１６など）を送信する。この新しいプリアンブルＰ（プリアンブルＰ１１６など）は普通、送信電力を上げて送信される。
【００２２】
（１つまたは複数の）ＲＡＣＨ／ＰＲＡＣＨメッセージの送信後、この手順は終了し、後に続くアップリンクデータの送信ごとに、前述の手順は再度開始される必要がある。
【００２３】
以下では、リリース８によるＦＤＤモードでのＵＭＴＳ  Ｅ−ＤＣＨ拡張ＲＡＣＨ手順を説明する。
【００２４】
図２に、第２の信号伝送図２００として、１０ミリ秒Ｅ−ＤＣＨ  ＴＴＩ事例でのＥ−ＤＣＨ拡張ＲＡＣＨ手順のハイレベル概念を示す。
【００２５】
Ｅ−ＤＣＨ個別物理データチャネル（Ｅ−ＤＰＤＣＨ）はＥ−ＤＣＨトランスポートチャネルを搬送する。Ｅ−ＤＣＨ  ＴＴＩ２０６は２ミリ秒または１０ミリ秒とすることができる。各移動無線セルでは、その移動無線セル内のすべてのＵＥ１１０にブロードキャストされる、最大３２までのＥ−ＤＣＨ／Ｅ−ＤＰＤＣＨ２０４対を構成することができる。Ｅ−ＤＣＨ／Ｅ−ＤＰＤＣＨ対は共通リソースである。すなわち、移動無線セル内のすべてのＵＥ１１０の間で共有される。
【００２６】
手順は、リリース７におけるＡＩＣＨ応答１１８の場合と同様にＰＲＡＣＨプリアンブル取得手順から開始する。
【００２７】
ＮｏｄｅＢ１１４がプリアンブル（第２のプリアンブルＰ１１６など）を検出した場合、ＵＥ１１０には、アップリンク伝送方向のＤＰＣＣＨ（Ｄｅｄｉｃａｔｅｄ  Ｐｈｙｓｉｃａｌ  Ｃｏｎｔｒｏｌ  Ｃｈａｎｎｅｌ）、Ｅ−ＤＰＣＣＨおよびＥ−ＤＰＤＣＨ２０４と、ダウンリンク伝送方向のＦ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ（フラクショナル個別物理チャネル））、Ｅ−ＨＩＣＨ（Ｅ−ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ（Ｅ−ＤＣＨ  ＨＡＲＱ肯定応答表示チャネル））、Ｅ−ＲＧＣＨおよびＥ−ＡＧＣＨ２０２の各物理チャネルからなる共通Ｅ−ＤＣＨリソースのうちの１つが割り当てられる。Ｅ−ＤＣＨ無線リンクが確立されると、ＤＰＣＣＨおよびＦ−ＤＰＣＨ上で閉ループ電力制御が適用され、ＮｏｄｅＢによってＥ−ＡＧＣＨおよびＥ−ＲＧＣＨを介してスケジューリング許可が送られ、Ｅ−ＤＣＨ／Ｅ−ＤＰＤＣＨ上のアップリンク伝送に応答したＡＣＫ／ＮＡＣＫフィードバックがＥ−ＨＩＣＨ上で送られる。
【００２８】
ダウンリンク伝送方向のＥ−ＤＣＨ絶対許可とアップリンク伝送方向の対応するＥ−ＤＰＤＣＨ伝送の間には固定のタイミング関連付けが指定される。基本的にＵＥ１１０は、ＵＥ１１０を目的とするＥ−ＡＧＣＨ上のＥ−ＤＣＨ絶対許可を検出すると、Ｅ−ＡＧＣＨ情報に基づき指定の時刻にＥ−ＤＰＤＣＨ上で送信を行う。例示のために、図３および図４に２つの例を示す。
【００２９】
図３には第１図３００として１０ミリ秒の場合の例が示されており、図４には第２図４００として２ミリ秒の場合の例が示されている。
【００３０】
１０ミリ秒の場合、ＳＦＮ＃ｉ３０２と関連付けられたＥ−ＡＧＣＨ３０８フレームは、ＳＦＮ＃ｉ＋１＋ｓと関連付けられたＥ−ＤＰＤＣＨ３１０フレームにおけるＥ−ＤＣＨ伝送に対応する。図３ではこれが、Ｅ−ＡＧＣＨ３０８フレームＳＦＮ＃ｉ＋１  ３０４と、これに対応して関連付けられたＥ−ＤＰＤＣＨ３１０フレーム３０６とで示されている（異なるチャネル上の個々のフレーム間の関連付けは図３では矢印３１２によって表されている）。
【００３１】
２ミリ秒の場合、ＳＦＮ＃ｉ４０２と関連付けられたＥ−ＡＧＣＨ４０８フレームのＥ−ＡＧＣＨ４０８サブフレーム＃ｊは、ＳＦＮ＃ｉ＋ｓと関連付けられたＥ−ＤＰＤＣＨ４１０フレームのサブフレーム＃ｔにおけるＥ−ＤＣＨ伝送に対応する。図４ではこれが、Ｅ−ＡＧＣＨ４０８サブフレーム＃ｊ４０４と、これに対応して関連付けられたＥ−ＤＰＤＣＨ４１０フレーム４０６とで示されている（異なるチャネル上の個々のフレーム間の関連付けは図４では矢印４１２によって表されている）。
【００３２】
係数ｓはＵＥ特有のＥ−ＤＰＤＣＨタイミングに依存する。ＲＲＣ状態ＣＥＬＬ＿ＤＣＨでは、Ｅ−ＤＰＤＣＨタイミングは、Ｔｎ＝｛０，…，１４９｝とするＴ２＝Ｔｎ×２５６＋１０２４チップで構成することができる。
【００３３】
現在ＵＥ１１０は、Ｅ−ＡＧＣＨ物理チャネル４０８をＴＴＩ（すなわち２ミリ秒または１０ミリ秒）ごとにモニタしており、これによりＵＥ電池消費は高くなる。さらに、ＲＲＣ状態ＣＥＬＬ＿ＤＣＨにおけるＥ−ＤＣＨリソースは個別リソースであるため、Ｅ−ＡＧＣＨ４０８は現在、競合解決には使用されていない。
【００３４】
図５にブロック図５００として、アップリンク伝送制御メッセージをいつ受信すべきか指定する受信スケジューリング情報を含むようにスケジューリングメッセージを生成するスケジューリングメッセージ生成回路５０４を含む一実施形態による通信機器５０２を示す。受信スケジューリング情報は、アップリンク伝送路５１６の構成に応じて定義される。さらに、アップリンク伝送チャネル５１６を介した別の通信機器５１４からのアップリンク伝送を制御するためのアップリンク伝送制御メッセージを生成するアップリンク伝送制御メッセージ生成回路５０６も設けることができる。さらに、アップリンク伝送制御メッセージがアップリンク伝送制御ダウンリンクチャネル５１８を介して送信されるように受信スケジューリング情報に従ってアップリンク伝送制御メッセージを送信する送信側回路５０８も設けることができる。一実施形態では、以下でより詳細に説明するように、別の通信機器５１４のアップリンク伝送チャネル５１６を介したアップリンク伝送を制御するために、その別の通信機器５１４に生成されたスケジューリングメッセージを送信することができる。
【００３５】
言い換えると図示のように、一実施形態によれば通信機器５０２は、別の通信機器５１４のアップリンク伝送をスケジュールし、制御する。このために、通信機器５０２は、スケジューリングメッセージ生成回路５０４とアップリンク伝送制御メッセージ生成回路５０６とを含むことができる。スケジューリングメッセージ生成回路５０４は、以下で「第２の通信機器」ともいう別の通信機器５１４などの、アップリンク伝送制御メッセージの受信時刻をスケジュールするためのメッセージを生成することができる。チャネルは、ある通信機器にはある一定のＴＴＩなどのように特性を定義しているため、スケジュールはこれらの特性を考慮に入れることができ、これに依存することができる。アップリンク伝送制御メッセージ生成回路５０６は、競合解決のための情報など、アップリンク伝送を制御するための情報を含むメッセージを生成するように構成することができる。
【００３６】
アップリンク伝送制御メッセージは、送信側回路５０８によって、アップリンク伝送制御ダウンリンクチャネル５１８を介して第２の通信機器５１４まで送信される。第２の通信機器５１４のアップリンク伝送は、第２の通信機器５１４によってアップリンク伝送チャネル５１６を介して行われる。
【００３７】
通信機器５０２は、本発明の一実施形態によれば、無線ネットワーク通信機器として構成することができる。
【００３８】
よって、様々な実施形態において、アップリンクチャネル５１８およびダウンリンクチャネル５１６は、移動無線チャネルなどの無線チャネルとすることができる。無線通信システムは、固定通信機器だけを含むことができ、移動通信機器だけを含んでいてもよく、固定通信機器と移動通信機器の組み合わさったものを含むことができる。
【００３９】
通信機器は、一実施形態によれば、移動無線ネットワーク通信機器として構成することができる。
【００４０】
移動無線ネットワーク通信機器は、以下の通信プロトコルまたは移動無線通信技術うちの１つによるネットワーク通信機器とすることができる。ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、または、ＵＭＴＳロング・ターム・エボルーション（ＵＭＴＳ  ＬＴＥ）、符号分割多元接続２０００（ＣＤＭＡ２０００）、ＦＯＭＡ（Ｆｒｅｅｄｏｍ  ｏｆ  Ｍｏｂｉｌｅ  Ｍｕｌｔｉｍｅｄｉａ  Ａｃｃｅｓｓ（マルチメディアへの移動体のアクセスの自由））などの第３世代パートナーシッププロジェクト（３ＧＰＰ）通信プロトコルといった別の移動無線通信プロトコル。さらに、移動無線通信プロトコルは、ＧＳＭ様の通信プロトコル、またはＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ（ＧＳＭ進化型高速データレート））などこれらの通信プロトコルから派生または進化した通信プロトコル、またはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などといったいわゆる「プレ４Ｇ」もしくは「４Ｇ」通信プロトコルとすることができる。
【００４１】
通信機器５０２、５１４は、ダウンリンク方向などにおけるデータ転送が行われる位相を折衝することができる。この技法は、不連続受信と呼ぶこともできる。これらの位相は、周期的間隔またはサイクルに基づくものとすることができる。
【００４２】
一実施形態によれば、通信機器５０２の受信スケジューリング情報は、アップリンク伝送制御ダウンリンクチャネルに事前定義された不連続受信サイクルの数に関する情報である。
【００４３】
一例として、スケジューリング情報は、無線フレームおよびサブフレームとして構築されるアクセス許可チャネルを介して送信される。この場合スケジューリング情報は、例えば、特定の通信機器のアクセス許可チャネルフレーム情報が、例えば、アクセス許可チャネルの無線フレームごと、１無線フレームおき、３無線フレームおきなどに送信されることなどを表示することができる。以下により詳細な例を示す。
【００４４】
一実施形態によれば、通信機器のアップリンク伝送チャネルは共有チャネルである。
【００４５】
こうすることによって、無線リソースの非常に効率のよい利用が実現される。
【００４６】
図６の状態図６００に示すように、２つのモードがあり、これらのモードに対応してモバイル機器が取り得る状態が提供される。すなわち、ＲＲＣ＿ｉｄｌｅ状態６０４を有するアイドルモード６０２と、ＣｅＬＬ＿ＤＣＨ状態６０６、ＣｅＬＬ＿ＦＡＣＨ状態６０８、ＵＲＡ＿ＰＣＨ状態６１０およびＣｅｌｌ＿ＰＣＨ状態６１２を含むＲＲＣ接続モード６１４である。個々の通信プロトコル状態を以下でより詳細に説明する。
【００４７】
アップリンク伝送チャネルは、ＵＭＴＳなどにおけるＲＲＣ  ＣＥＬＬ＿ＤＣＨ状態などのような、個別チャネルがモバイル通信機器のために割り振られるＲＲＣ接続状態において従来から使用され、一実施形態によれば、ＲＲＣ  ＣＥＬＬ＿ＦＡＣＨ状態などのような別のＲＲＣ状態において使用されるチャネルとすることができる。
【００４８】
よって、通信機器のアップリンク伝送チャネルは、一実施形態によれば、共有チャネルとして使用される個別チャネルとすることができる。
【００４９】
一実施形態によれば、通信機器の個別チャネルは、ＤＣＨトランスポートチャネルまたはＥ−ＤＣＨトランスポートチャネルである。
【００５０】
Ｅ−ＤＣＨトランスポートチャネルは、前述の通信などのような無線または電波システムにおいて使用されるＥ−ＤＣＨチャネルとすることができ、Ｅ−ＨＩＣＨ（Ｅ−ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ）、Ｅ−ＡＧＣＨ（Ｅ−ＤＣＨ  Ａｂｓｏｌｕｔｅ  Ｇｒａｎｔ  Ｃｈａｎｎｅｌ）およびＥ−ＲＧＣＨ（Ｅ−ＤＣＨ  Ｒｅｌａｔｉｖｅ  Ｇｒａｎｔ  Ｃｈａｎｎｅｌ）などを含み、また一実施形態において関連するアップリンク伝送の場合には、Ｅ−ＤＰＣＣＨ（Ｅ−ＤＣＨ  Ｄｅｄｉｃａｔｅｄ  Ｐｈｙｓｉｃａｌ  Ｃｏｎｔｒｏｌ  Ｃｈａｎｎｅｌ）およびＥ−ＤＰＤＣＨ（Ｅ−ＤＣＨ  Ｄｅｄｉｃａｔｅｄ  Ｐｈｙｓｉｃａｌ  Ｄａｔａ  Ｃｈａｎｎｅｌ）なども含む。
【００５１】
Ｅ−ＤＰＤＣＨとＥ−ＤＰＣＣＨとは相互に直接接続し合うことができる。というのは、シグナリングチャネルＥ−ＤＰＣＣＨは、データチャネルＥ−ＤＰＤＣＨの特性に関する情報を送信するからである。Ｅ−ＤＰＤＣＨはデータペイロードを運び、ＨＡＲＱを用いたいわゆるＡＭＣ（Ａｄａｐｔｉｖｅ  Ｍｏｄｕｌａｔｉｏｎ  ａｎｄ  Ｃｏｄｉｎｇ（適応的変調および符号化））をサポートする。Ｅ−ＤＣＨサブフレームの長さは、例えば２ミリ秒や１０ミリ秒とすることができる。
【００５２】
Ｅ−ＨＩＣＨは、ＨＡＲＱプロセスによってＵＥからのＥ−ＤＣＨ伝送を確認するのに使用されるダウンリンク物理チャネルである。
【００５３】
Ｅ−ＡＧＣＨは、ＵＥにアップリンク上でどれ程のデータを送ることができるか表示し、ＵＥにＥ−ＤＣＨ  ＴＦＣ（Ｔｒａｎｓｐｏｒｔ  Ｆｏｒｍａｔ  Ｃｏｍｂｉｎａｔｉｏｎ（転送形式組み合わせ））および最大許容電力を決定させるのに使用される共有ダウンリンク物理チャネルである。
【００５４】
Ｅ−ＲＧＣＨは、以前に使用された値と比較してアップリンクリソースを増減するのに使用されるダウンリンク物理チャネルである。
【００５５】
以下に、各チャネルに関するさらなる情報を示す。
【００５６】
一実施形態によれば、第２の通信機器５１４は端末通信機器である。
【００５７】
本発明の別の実施形態によれば、端末通信機器５１４は移動無線端末通信機器などの無線端末通信機器である。
【００５８】
移動無線端末通信機器は、前述の通信システムの１つによる通信プロトコルもしくは通信技術、またはこれらの通信システムのプロトコルに基づく、もしくは類似した通信プロトコルもしくは通信技術を使用する通信機器とすることができる。
【００５９】
一実施形態によれば、第１の通信機器５０２のアップリンク伝送制御ダウンリンクチャネル５１８はＤＣＨ絶対許可チャネルである。一実施形態によれば、通信機器のＤＣＨ絶対許可チャネルはＥ−ＤＣＨ絶対許可チャネルである。
【００６０】
Ｅ−ＤＣＨ絶対許可チャネルは、リリース７によるＥ−ＡＧＣＨ物理チャネルの特性を有するチャネルとすることができる。よって、アップリンクＥ−ＤＣＨ絶対許可を搬送する固定レート（３０ｋｂｐｓ、ＳＦ＝２５６など）のダウンリンク物理チャネルとすることができる。
【００６１】
図７に、フレーム図７００としてＥ−ＡＧＣＨ１１４のフレームおよびサブフレームの構造を示す。Ｅ−ＤＣＨ絶対許可は、２ミリ秒の長さの１つのＥ−ＡＧＣＨサブフレーム７０２または１０ミリ秒の長さの１つのＥ−ＡＧＣＨフレーム７０４によって送信することができる。Ｅ−ＡＧＣＨ１１４は、例えば以下のように、１サブフレーム上で、６０チャネル符号化ビットおよび２２情報ビットをそれぞれ搬送する。
【００６２】
絶対許可範囲：１ビット。絶対許可が、「ＨＡＲＱプロセスごと」に適用できるか、それとも「すべてのＨＡＲＱプロセス」に適用できるかを表示する。
【００６３】
絶対許可値：５ビット。ＵＥが次の伝送において使用することを許される最大Ｅ−ＤＰＤＣＨ／ＤＰＣＣＨ電力比を表示する。
【００６４】
１６ビットの長さのＣＲＣ特有のマスクＥ−ＲＮＴＩ（Ｅ−ＤＣＨ  Ｒａｄｉｏ  Ｎｅｔｗｏｒｋ  Ｔｅｍｐｏｒａｒｙ  Ｉｄｅｎｔｉｔｙ（Ｅ−ＤＣＨ無線ネットワーク一時識別情報））。
【００６５】
Ｅ−ＡＧＣＨ１１４の持続期間はＥ−ＤＣＨ  ＴＴＩと同じであり、すなわち例えば２ミリ秒または１０ミリ秒などである。２ミリ秒の持続期間の場合には、Ｅ−ＡＧＣＨ１１４はただ１つのＥ−ＤＣＨ絶対許可を搬送し、他方１０ミリ秒の場合には、Ｅ−ＡＧＣＨ１１４は、ただ１つのＥ−ＤＣＨ絶対許可を搬送し、これが、Ｅ−ＡＧＣＨフレーム７０６の５個すべてのサブフレーム７０５において送信される。タイミング時に、Ｅ−ＡＧＣＨフレーム７０６は、図３および図４に示すように、Ｔ１＝５１２０チップ（≒１．３３ミリ秒）および１チップ＝０．２６１マイクロ秒の無線フレーム構造に対してオフセットされている。
【００６６】
一実施形態によれば、第１の通信機器５０２のアップリンク伝送制御ダウンリンクチャネル５１８は、スケジューリング情報を送信するダウンリンクチャネルである。
【００６７】
以下にスケジューリングの一例を示す。
【００６８】
Ｅ−ＡＧＣＨフレーム伝送のためのＤＲＸ（Ｄｉｓｃｏｎｔｉｎｕｏｕｓ  Ｒｅｃｅｐｔｉｏｎ）サイクルを定義することができる。以下で、図８に別のフレーム図８００として示すＥ−ＡＧＣＨフレーム伝送のための例示的ＤＲＸサイクルをより詳細に説明する。
【００６９】
Ｅ−ＡＧＣＨ１  ８０２：ＤＲＸサイクル１（ＤＲＸサイクル１の長さは図８において符番８１０で表されている）、Ｅ−ＡＧＣＨフレーム７０４は１０ミリ秒の長さのフレームごとに送信することができる。ＤＲＸサイクル１の長さは１０ミリ秒とすることができる。
【００７０】
Ｅ−ＡＧＣＨ２  ８０４：ＤＲＸサイクル２（ＤＲＸサイクル２の長さは図８において符番８１２で表されている）、Ｅ−ＡＧＣＨフレーム７０４は１０ミリ秒の長さの１無線フレームおきに送信することができる。ＤＲＸサイクル２の長さは２０ミリ秒とすることができる（一般に、ＤＲＸサイクル１の整数倍だけ長いなど、ＤＲＸサイクル１より長い）。
【００７１】
Ｅ−ＡＧＣＨ３  ８０６：ＤＲＸサイクル３（ＤＲＸサイクル３の長さは図８において符番８１４で表されている）、Ｅ−ＡＧＣＨフレーム７０４は、１０ミリ秒の長さの３無線フレームおきに送信することができる。ＤＲＸサイクル３の長さは４０ミリ秒とすることができる（一般に、ＤＲＸサイクル１および／またはＤＲＸサイクル２の整数倍だけ長いなど、ＤＲＸサイクル１および／またはＤＲＸサイクル２より長い）。
【００７２】
Ｅ−ＡＧＣＨ４  ８０８：ＤＲＸサイクル４（ＤＲＸサイクル４の長さは図８において符番８１６で表されている）、Ｅ−ＡＧＣＨフレーム７０４は、１０ミリ秒の長さの７無線フレームおきに送信することができる。ＤＲＸサイクル４の長さは８０ミリ秒とすることができる（一般に、ＤＲＸサイクル１および／またはＤＲＸサイクル２および／またはＤＲＸサイクル３の整数倍だけ長いなど、ＤＲＸサイクル１および／またはＤＲＸサイクル２および／またはＤＲＸサイクル３より長い）。
【００７３】
一実施形態では、無線セルにおいて定義される各Ｅ−ＤＣＨ構成ごとに、リソース特有のＥ−ＡＧＣＨフレーム周期性（＝スケジューリング機会）をシグナリングし得るものとすることができる。
【００７４】
さらに、別の実施形態では、このリソース特有のＥ−ＡＧＣＨフレーム周期性を、例えば、Ｅ−ＤＣＨ構成の総数、サポートされるＥ−ＤＣＨ  ＴＴＩ、および無線セルにおいてサポートされる伝送容量などに応じて、ネットワークコンポーネントが定義することができる。
【００７５】
実施に際しては、競合解決ウィンドウにおいて、ネットワークは、Ｅ−ＡＧＣＨ１１４上でスケジューリング許可および競合解決コマンドを送ることができる。しかし、実施に際しては、ネットワークは競合解決ウィンドウ後にＥ−ＡＧＣＨ１１４上でスケジューリング許可だけしか送ることができないものとすることができる。
【００７６】
２ミリ秒Ｅ−ＤＣＨ  ＴＴＩの場合、Ｅ−ＡＧＣＨ１１４は、単一のＥ−ＤＣＨ絶対許可を搬送するだけである。すなわちＵＥは、Ｅ−ＡＧＣＨフレーム７０４全体をモニタし、どのサブフレーム上でそのＥ−ＤＣＨ絶対許可が伝送され得るかチェックする。１０ミリ秒Ｅ−ＤＣＨ  ＴＴＩの場合、Ｅ−ＡＧＣＨ１１４は単一のＥ−ＤＣＨ絶対許可を搬送し、これがＥ−ＡＧＣＨフレーム７０４の５個すべてのサブフレームで伝送される。
【００７７】
一実施形態によれば、第１の通信機器５０２のアップリンク伝送制御ダウンリンクチャネル５１８は、競合解決情報を伝送するダウンリンクチャネルである。
【００７８】
アップリンクチャネルは、データを送信する必要があるときにだけ通信機器によってアクセスされる共有チャネルであるため、競合解決が有効となり得る。
【００７９】
競合解決では、Ｅ−ＡＧＣＨ１１４上で以下のパラメータなどを伝送することができる。
【００８０】
Ｅ−ＤＣＨ構成の指数、および／または
【００８１】
競合解決のためのＵＥ−ＩＤ。
【００８２】
競合解決は、Ｅ−ＤＣＨ伝送が最初に開始された無線フレームから始まる競合解決ウィンドウ（すなわちＮ無線フレームの最初の数）においてのみ行うこともできる。
【００８３】
一実施形態によれば２種類の競合解決方法をサポートすることができる。
【００８４】
Ｅ−ＡＧＣＨ競合解決コマンドの明示的送信による明示的競合解決；
【００８５】
競合解決ウィンドウの満了後の暗黙的競合解決。
【００８６】
一実施形態によれば、通信機器５０２の送信側回路５０８は、通信機器５０２が事前定義の通信プロトコル状態にあるときにアップリンク伝送制御メッセージを送信するように構成することができる。
【００８７】
そのような通信プロトコル状態は、前述のように、通信機器が入ることのできる通信接続の状態を定義することができる。通信プロトコル状態ごとに、通信チャネルなどといった通信リソースの異なるセットを提供することができる。各リソースは通信プロトコル状態特有の特性を有し、通信機器は、呼をセットアップする、呼を解放する、休眠する、起動する、ある特定のモードなどで通信するなどといった定義済みの措置を行うことができる。状態モデルの一特性は、ある状態から別の状態への定義済みの遷移だけが許され、遷移は事前定義の条件に依存し得るというものである。
【００８８】
一実施形態によれば、通信機器の送信側回路５０８は、通信機器が事前定義の無線リソース制御状態にあるときにアップリンク伝送制御メッセージを送信するように構成することができる。
【００８９】
図６の状態図６００にＲＲＣ状態が示されており、ＵＭＴＳを例に引いて以下でこれを説明する。
【００９０】
ＵＭＴＳには、アイドルモード６０２と接続モード６１４の２つのＲＲＣモードがある。
【００９１】
ＵＭＴＳ  ＲＲＣアイドルモード６０２には、ただ１つの状態、すなわちＲＲＣ＿ｉｄｌｅ状態６０４がある。ＲＲＣ＿ｉｄｌｅ状態６０４には、モバイル機器のスイッチを入れた後で入る。ＲＲＣ＿ｉｄｌｅ状態６０４において、ＵＴＲＡＮはモバイル機器に関する情報を持たない。ダウンリンク伝送方向で、モバイル機器は、ＰＩＣＨ／ＰＣＨ（Ｐａｇｉｎｇ  Ｉｎｄｉｃａｔｏｒ  ＣＨａｎｎｅｌ／Ｐａｇｉｎｇ  Ｃｈａｎｎｅｌ（一斉呼出表示チャネル／一斉呼出チャネル））をリッスンする。ＲＲＣ接続モード６１４に変更するには、一斉呼出信号が検出される必要がある。ＰＩＣＨは、例えば、ＲＲＣ＿ｉｄｌｅ状態６０４における起動信号などとして使用される。ＵＴＲＡＮは、移動無線セル内などにおいてブロードキャストメッセージを送ることによって、アイドルモード６０２のモバイル機器に情報を送ることしかできない。アップリンク伝送方向で、ＵＥは、ＲＲＣ接続モード６１４に変更するためにＲＡＣＨ上でＲＲＣ＿ＣＯＮＮＥＣＴＩＯＮ＿ＲＥＱメッセージを送る。
【００９２】
ＵＭＴＳに従い、ＵＥは、ＲＲＣ通信接続確立を確認するネットワークからメッセージを受け取ると、ＣＥＬＬ＿ＦＡＣＨ状態６０８またはＣＥＬＬ＿ＤＣＨ６０６状態に入る。
【００９３】
以下では、接続モードＲＲＣ接続６１４の４つのＲＲＣ状態６０６、６０８、６１０、６１２のごく一部の特徴だけを説明する。
【００９４】
接続モード状態の１つはＣＥＬＬ＿ＤＣＨ状態６０６である。ＣＥＬＬ＿ＤＣＨ状態６０６では、個別物理チャネルが、アップリンク伝送方向とダウンリンク伝送方向で移動無線通信機器に割り振られる。モバイル機器はＲＮＣセットアップに従ってＲＮＣ（Ｒａｄｉｏ  Ｎｅｔｗｏｒｋ  Ｃｏｎｔｒｏｌｌｅｒ（無線ネットワーク制御装置））に測定報告（言い換えると測定報告メッセージ）を送る。モバイル機器は、ＲＲＣ＿ｉｄｌｅ状態６０４などからＲＲＣ接続をセットアップするときに、またはＣＥＬＬ＿ＦＡＣＨ状態６０８などから個別物理チャネルを確立することによってＣＥＬＬ＿ＤＣＨ６０６状態に入る。
【００９５】
ＣＥＬＬ＿ＦＡＣＨ状態６０８は、接続モード６１４の別の状態である。ＣＥＬＬ＿ＦＡＣＨ状態６０８では、モバイル機器に個別物理チャネルが割り振られない。アップリンク伝送およびダウンリンク伝送は、ダウンリンクのＦＡＣＨや、アップリンクのＲＡＣＨなど、共通チャネルによって行われる。移動無線通信機器は、システム情報メッセージの復号のためにサービス移動無線セルのＢＣＨ（Ｂｒｏａｄｃａｓｔ  Ｃｈａｎｎｅｌ（報知チャネル））トランスポートチャネルをリッスンする。
【００９６】
接続モード６１４の第３の状態はＣＥＬＬ＿ＰＣＨ状態６１２である。ＣＥＬＬ＿ＰＣＨ状態６１２では、シグナリング接続だけが移動無線通信端末機器に割り振られる。ＣＥＬＬ＿ＰＣＨ状態６１２では、移動無線通信端末機器はＰＣＨ（Ｐａｇｉｎｇ  Ｃｈａｎｎｅｌ）をモニタする。さらに、移動無線通信端末機器は、システム情報メッセージを復号するためにサービスセルのＢＣＨトランスポートチャネルをリッスンする。ＣＥＬＬ＿ＰＣＨ状態６１２ではＤＣＣＨ論理チャネルを使用することができないため、ネットワークはどんなダウンリンク伝送活動を開始するのにもＰＣＣＨ上で一斉呼出要求を送る。
【００９７】
接続モード６１４における第４の状態はＵＲＡ＿ＰＣＨ状態６１０である。ＵＲＡ＿ＰＣＨ状態６１０は、ＣＥＬＬ＿ＰＣＨ状態６１２と類似した状態であり、移動無線通信端末機器が、ＵＲＡ（ＵＴＲＡＮ  ｒｅｇｉｓｔｒａｔｉｏｎ  ａｒｅａ（ＵＴＲＡＮ登録エリア））と呼ばれるセルの集合の間でのみネットワークによって知られているという点でＣＥＬＬ＿ＰＣＨ状態６１２とは基本的に異なる。
【００９８】
前述のように、ＵＭＴＳのＣＥＬＬ＿ＤＣＨ状態６０６では、そのための論理チャネルのサブセットが前述のように定義される個別物理チャネルＤＣＨ、あるいは新しいリリースではＥ−ＤＣＨが存在する。このチャネルは、一実施形態によれば、ＣＥＬＬ＿ＦＡＣＨ状態６０８でも使用され得る。しかし、この場合そのチャネルは共有チャネルとして使用され得る。
【００９９】
一実施形態によれば、通信機器５０２の送信側回路５０８は、通信機器が無線リソース制御状態ＣＥＬＬ＿ＦＡＣＨ６０８にあるときにアップリンク伝送制御メッセージを送信するように構成することができる。
【０１００】
すなわち、アップリンク伝送制御メッセージは、ＣＥＬＬ＿ＦＡＣＨ状態６０８において、Ｅ−ＤＣＨトランスポートチャネルなどを介したアップリンク伝送を制御するために、Ｅ−ＡＧＣＨやＥ−ＲＧＣＨなどを介して送信することができる。
【０１０１】
一実施形態によれば、図９に示すように、通信機器においてアップリンク伝送制御メッセージを送信する方法９００を提供することができる。この方法は、９０２において、アップリンク伝送チャネルの構成に応じて定義される、アップリンク伝送制御メッセージをいつ受信すべきか指定する受信スケジューリング情報を含むようにスケジューリングメッセージを生成することを含み得る。スケジューリングメッセージは、ＲＮＣなどといった移動無線通信ネットワーク機器から移動無線通信端末機器に送信することができ、受信スケジューリング（一般には受信活動化特性）は、スケジューリングメッセージに含まれる受信スケジューリング情報によって制御される必要がある。さらに、９０４において、アップリンク伝送チャネルを介した別の通信機器（移動無線通信端末機器など）からのアップリンク伝送を制御するためのアップリンク伝送制御メッセージを生成することができ、９０６では、アップリンク伝送制御メッセージがアップリンク伝送制御ダウンリンクチャネルを介して送信されるように、受信スケジューリング情報に従ってアップリンク伝送制御メッセージを送信することができる。
【０１０２】
言い換えると、第２の通信機器などのアップリンク伝送を制御するための情報を含むメッセージがダウンリンク方向に送信される。この方法によれば、最初に、第２の通信機器が、アップリンク伝送制御メッセージと、第２の通信機器からのアップリンク伝送を制御するための情報とをいつ受信すべきかを表示するタイムスケジューリング情報を含むメッセージを生成することができる。このスケジューリング情報は、アップリンク伝送チャネルの構成に基づくものとすることができる。次に、アップリンク伝送制御メッセージを生成し、第２の通信機器にそのようなアップリンク伝送制御メッセージを送信するダウンリンクチャネルを介し、スケジューリングメッセージの情報に従って送信することができる。
【０１０３】
一実施形態によれば、方法９００の通信機器は、無線ネットワーク通信機器として構成することができる。無線ネットワーク通信機器では、無線通信プロトコルに従って無線アップリンクおよびダウンリンクチャネルを使用することができる。無線通信システムは、固定回線通信機器だけを含んでいてもよく、移動通信機器だけを含んでいてもよく、固定回線通信機器と移動通信機器の組み合わせを含んでいてもよい。
【０１０４】
一実施形態によれば、方法９００を実行する通信機器は、移動無線ネットワーク通信機器として構成することができる。
【０１０５】
移動無線ネットワークは、以下の通信プロトコルのうちの１つによるネットワークとすることができる：ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、または、ＵＭＴＳロング・ターム・エボルーション（ＵＭＴＳ  ＬＴＥ）、符号分割多元接続２０００（ＣＤＭＡ２０００）、ＦＯＭＡ（Ｆｒｅｅｄｏｍ  ｏｆ  Ｍｏｂｉｌｅ  Ｍｕｌｔｉｍｅｄｉａ  Ａｃｃｅｓｓ）といった第３世代パートナーシッププロジェクト（３ＧＰＰ）通信プロトコルなどの別の移動無線通信プロトコル。さらに、移動無線通信プロトコルは、ＧＳＭ様の通信プロトコル、または、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）や、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などといったいわゆる「プレ４Ｇ」もしくは「４Ｇ」通信プロトコルなどの、これらの通信プロトコルから派生または進化した通信プロトコルとすることができる。
【０１０６】
本発明の一実施形態によれば、方法９００の受信スケジューリング情報は、アップリンク伝送制御ダウンリンクチャネルに事前定義された不連続受信サイクルの数に関する情報である。一実施形態では、不連続受信サイクルは、アップリンク伝送制御ダウンリンクチャネルを受信するための活動相と、アップリンク伝送制御ダウンリンクチャネルが送信されない非活動相を含む周期的に繰り返される期間として理解することができる。不連続受信サイクルは、例えば、１つまたは複数のフレームの長さ（１フレームの長さの整数倍などの倍数など）などを有し得る。
【０１０７】
図８に、各不連続受信サイクルがその他の不連続受信サイクルの長さとは異なる特定の長さを有する不連続受信サイクルの４つの異なる事例を示すスケジューリングの一例を示す。スケジューリング情報は、例えば、特定のアップリンク伝送チャネルのアクセス許可チャネルフレーム情報が、例えば、アクセス許可チャネルの無線フレームごと、１無線フレームおき、あるいは３無線フレームおきなどに送信されることなどを表示することができる。
【０１０８】
一実施形態によれば、方法９００のアップリンク伝送チャネルは、共有チャネルとすることができる。
【０１０９】
これは数台の通信機器が同じチャネルを使用することができることを意味し、このことは、一方ではリソース効率的であるが、他方ではスロット付きアロハアクセスが適用されるときに競合が生じる場合もある。これは、本明細書に示す競合解決を用いて解決することができる。
【０１１０】
一実施形態によれば、方法９００のアップリンク伝送チャネルは、共有チャネルとして使用される個別チャネルとすることができる。
【０１１１】
一実施形態によれば、方法９０の個別チャネルは、ＤＣＨトランスポートチャネルまたはＥ−ＤＣＨトランスポートチャネルである。
【０１１２】
一実施形態によれば、方法９００の第２の通信機器は端末通信機器である。
【０１１３】
一実施形態によれば、方法９００の端末通信機器は、移動無線端末通信機器などの無線端末通信機器である。
【０１１４】
本発明の一実施形態によれば、方法９００のアップリンク伝送制御ダウンリンクチャネルは、アップリンク伝送制御メッセージを送信するダウンリンク伝送チャネルである。
【０１１５】
一実施形態によれば、方法９００のアップリンク伝送制御ダウンリンクチャネルは、競合解決情報を送信する伝送ダウンリンクチャネルである。
【０１１６】
一実施形態によれば、方法９００のアップリンク伝送制御ダウンリンクチャネルはＤＣＨ絶対許可チャネルである。
【０１１７】
一実施形態によれば、方法９００のＤＣＨ絶対許可チャネルはＥ−ＤＣＨ絶対許可チャネルである。
【０１１８】
Ｅ−ＤＣＨ絶対許可チャネルは、リリース７によるＥ−ＡＧＣＨ物理チャネルの特性を有するチャネルとすることができる。よってこのチャネルは、アップリンクＥ−ＤＣＨ絶対許可を搬送する固定レート（３０ｋｂｐｓ、ＳＦ＝２５６など）ダウンリンク物理チャネルとすることができる。Ｅ−ＡＧＣＨのフレームおよびサブフレームの構造については先に図７を参照して説明した。
【０１１９】
一実施形態によれば、方法９００のアップリンク伝送制御メッセージは、通信機器が、事前定義の無線リソース制御状態などの事前定義の通信プロトコル状態にあるときに送信することができる。
【０１２０】
一実施形態によれば、方法９００のアップリンク伝送制御メッセージは、通信機器が無線リソース制御状態ＣＥＬＬ＿ＦＡＣＨにあるときに送信することができる。
【０１２１】
一実施形態によれば、図１０のブロック図１０００に示すような、アップリンク伝送チャネル５１６の構成に応じて定義される、アップリンク伝送制御メッセージをいつ受信すべきか指定する受信スケジューリング情報を含むスケジューリングメッセージなどを搬送するなどの無線信号を受信する受信側回路１００２を含む通信機器５１４を提供することができる。さらに通信機器５１４は、通信機器５１４またはその構成要素の一部を、それがアップリンク伝送チャネル５１６を介した通信機器からのアップリンク伝送を制御するためのアップリンク伝送制御メッセージを受信するように、受信スケジューリング情報に従って受信モードで制御されるように制御するコントローラ１００４も含むことができる。言い換えると、コントローラ１００４は、スケジューリングメッセージを受信するために設けられた通信機器５１４の構成要素を、その時に受信したスケジューリング情報に従って、それに続くアップリンク伝送制御メッセージを受信するように制御／活動化するように構成することができる。
【０１２２】
言い換えると、通信機器５１４は、その情報の時点において通信機器５１４がアップリンク伝送制御メッセージを受信し得る情報を含むスケジューリングメッセージを受信する受信側回路１００２を備える。アップリンク伝送制御メッセージを受信した後で、コントローラ１００４は、受信アップリンク伝送制御メッセージに含まれる情報を使用してアップリンク伝送チャネル５１６を介したアップリンク伝送を制御することができる。
【０１２３】
一実施形態によれば、通信機器５１４はさらに、アップリンク伝送チャネル５１６を介して別の通信機器にアップリンク伝送を提供する送信側回路１００６も含むことができる。
【０１２４】
図１０には、アップリンク伝送チャネル５１６を介して図５の通信機器５０２などといった第１の通信機器にアップリンクデータを送信する送信回路１００６も示されている。
【０１２５】
一実施形態によれば、通信機器５１４は、無線端末通信機器として構成することができる。
【０１２６】
無線端末通信は、ユーザ端末などとすることができる。
【０１２７】
一実施形態によれば、通信機器５１４は、移動無線端末通信機器として構成することができる。
【０１２８】
無線または移動無線ネットワークはそれぞれ、以下の通信プロトコルのうちの１つによるネットワークとすることができる。ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、またはＵＭＴＳロング・ターム・エボルーション（ＵＭＴＳ  ＬＴＥ）、符号分割多元接続２０００（ＣＤＭＡ２０００）、ＦＯＭＡ（Ｆｒｅｅｄｏｍ  ｏｆ  Ｍｏｂｉｌｅ  Ｍｕｌｔｉｍｅｄｉａ  Ａｃｃｅｓｓ）などの第３世代パートナーシッププロジェクト（３ＧＰＰ）通信プロトコルなどといった別の移動無線通信プロトコル。さらに、移動無線通信プロトコルは、ＧＳＭ様の通信プロトコル、または、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）や、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などといったいわゆる「プレ４Ｇ」もしくは「４Ｇ」通信プロトコルなど、これらの通信プロトコルから派生または進化した通信プロトコルとすることができる。
【０１２９】
一実施形態によれば、通信機器５１４の受信スケジューリング情報は、アップリンク伝送制御ダウンリンクチャネルに事前定義された不連続受信サイクルの数に関する情報とすることができる。
【０１３０】
一実施形態によれば、通信機器５１４のアップリンク伝送チャネル５１６は、共有チャネルとして使用される個別チャネルなどの共有チャネルとすることができる。
【０１３１】
一実施形態によれば、通信機器の個別チャネルは、ＤＣＨトランスポートチャネルまたはＥ−ＤＣＨトランスポートチャネルとすることができる。
【０１３２】
一実施形態によれば、他方の通信機器は、ネットワーク通信機器とすることができる。
【０１３３】
ネットワーク通信機器は、通信システムインフラストラクチャのネットワーク側に属する機器などとすることができる。
【０１３４】
一実施形態によれば、ネットワーク通信機器は無線ネットワーク通信機器とすることができる。
【０１３５】
無線ネットワーク通信機器は、基地局やＵＭＴＳにおけるＮｏｄｅＢやＬＴＥにおけるＮｏｄｅＢなどとすることができる。
【０１３６】
一実施形態によれば、無線端末通信機器は移動無線端末通信機器である。
【０１３７】
一実施形態によれば、通信機器のアップリンク伝送制御ダウンリンクチャネルは、アップリンク伝送制御メッセージを送信するダウンリンク伝送チャネルである。
【０１３８】
一実施形態によれば、通信機器のアップリンク伝送制御ダウンリンクチャネルは、競合解決情報を送信するダウンリンク伝送チャネルである。
【０１３９】
一実施形態によれば、通信機器のアップリンク伝送制御ダウンリンクチャネルは、ＤＣＨ絶対許可チャネルである。
【０１４０】
一実施形態によれば、通信機器のＤＣＨ絶対許可チャネルはＥ−ＤＣＨ絶対許可チャネルである。
【０１４１】
一実施形態によれば、通信機器５１４の受信側回路１００２は、通信機器５１４が事前定義の無線リソース制御状態にあるときなど、通信機器が事前定義の通信プロトコル状態にあるときにアップリンク伝送制御メッセージを受信するように構成することができる。
【０１４２】
一実施形態によれば、通信機器５１４の受信側回路１００２は、通信機器が無線リソース制御状態ＣＥＬＬ＿ＦＡＣＨにあるときにアップリンク伝送制御メッセージを受信するように構成することができる。
【０１４３】
一実施形態によれば、受信スケジューリング情報は複数のアップリンク伝送チャネル構成のうちの選択されたアップリンク伝送チャネル構成に応じて定義される。コントローラは、通信機器が選択されたアップリンク伝送チャネル構成による受信スケジューリング情報に従って受信モードで制御されるように通信機器を制御するように構成することができる。
【０１４４】
一実施形態によれば、図１１の流れ図に示すように信機器においてアップリンク伝送制御メッセージを受信する方法１１００が提供される。方法１１００は、１１０２において、アップリンク伝送チャネルの構成に応じて定義される、アップリンク伝送制御メッセージをいつ受信すべきかを指定する受信スケジューリング情報を含むスケジューリングメッセージを受信することを含むことができる。さらに、１１０４においては、通信機器が、アップリンク伝送チャネルを介した通信機器からのアップリンク伝送を制御するためのアップリンク伝送制御メッセージを受信するように受信スケジューリング情報に従って受信モードで制御されるように通信機器を制御することができる。
【０１４５】
一実施形態によれば、方法１１００はさらに、アップリンク伝送チャネルを介して別の通信機器にアップリンク伝送を提供することも含むことができる。
【０１４６】
一実施形態によれば、方法１１００を実行する通信機器は、移動無線端末通信機器などの無線端末通信機器として構成することができる。
【０１４７】
一実施形態によれば、方法１１００の受信スケジューリング情報は、アップリンク伝送制御ダウンリンクチャネルに事前定義された不連続受信サイクルの数に関する情報とすることができる。
【０１４８】
本発明の一実施形態によれば、この方法のアップリンク伝送チャネルは、共有チャネルとして使用される個別チャネルなどの共有チャネルとすることができる。
【０１４９】
一実施形態によれば、この方法の個別チャネルは、ＤＣＨトランスポートチャネルまたはＥ−ＤＣＨトランスポートチャネルとすることができる。
【０１５０】
一実施形態によれば、この方法の他方の通信機器は、ネットワーク通信機器とすることができる。
【０１５１】
一実施形態によれば、この方法の端末通信機器は無線端末通信機器である。
【０１５２】
一実施形態によれば、この方法の無線端末通信機器は移動無線端末通信機器とすることができる。
【０１５３】
一実施形態によれば、この方法のアップリンク伝送制御ダウンリンクチャネルは、アップリンク伝送制御メッセージを送信するダウンリンク伝送チャネルとすることができる。
【０１５４】
一実施形態によれば、この方法のアップリンク伝送制御ダウンリンクチャネルは、競合解決情報を送信するダウンリンク伝送チャネルとすることができる。
【０１５５】
一実施形態によれば、この方法のアップリンク伝送制御ダウンリンクチャネルはＤＣＨ絶対許可チャネルとすることができる。
【０１５６】
一実施形態によれば、この方法のＤＣＨ絶対許可チャネルはＥ−ＤＣＨ絶対許可チャネルとすることができる。
【０１５７】
一実施形態によれば、この方法のアップリンク伝送制御メッセージは、通信機器が事前定義の無線リソース制御状態にあるときなど、通信機器が事前定義の通信プロトコル状態にあるときに受信することができる。
【０１５８】
一実施形態によれば、この方法のアップリンク伝送制御メッセージは、通信機器が無線リソース制御状態ＣＥＬＬ＿ＦＡＣＨにあるときに受信することができる。
【０１５９】
一実施形態によれば、アップリンク伝送チャネルの構成に応じて定義される、アップリンク伝送制御メッセージをいつ受信すべきか指定する受信スケジューリング情報を含むようにスケジューリングメッセージを生成するスケジューリングメッセージ生成回路と、アップリンク伝送チャネルを介した別の通信機器からのアップリンク伝送を制御するためのアップリンク伝送制御メッセージを生成するアップリンク伝送制御メッセージ生成回路と、アップリンク伝送制御ダウンリンクチャネルを介して、第１の事前定義の期間における競合解決情報またはアップリンク伝送制御メッセージ、および第１の事前定義期間とは異なる第２の事前定義の期間におけるアップリンク伝送制御メッセージだけの送信を行う送信側回路とを含む通信機器を提供することができる。
【０１６０】
様々な実施形態は、移動無線通信機器のＣＥＬＬ＿ＦＡＣＨ状態においてＥ−ＤＣＨリソースの競合解決およびスケジューリングのための１つまたは複数の定義済み手順を提供することができる。さらに様々な実施形態は、ＣＥＬＬ＿ＦＡＣＨ状態における（ネットワークから見た場合の）無線リソース効率および（ＵＥから見た場合の）電池消費に関して、共通Ｅ−ＤＣＨリソーススケジューリングの簡素化も実現することができる。
【０１６１】
一般性を失わずに、以下の例示的構成を、図１２の図１２００で示す以下の実施例として考察する。
【０１６２】
Ｗ−ＣＤＭＡに基づくリリース８によるＵＭＴＳ  ＦＤＤモードが提供される。
【０１６３】
移動無線セルは、Ｅ−ＤＣＨ拡張ＲＡＣＨ手順をサポートするように構成される。
【０１６４】
移動無線セルでは、以下のパラメータを用いて２つの共通Ｅ−ＤＣＨリソースだけが構成され、ブロードキャストされる。
Ｅ−ＤＣＨ構成１：
−  Ｅ−ＤＣＨ構成指数
−  報知１
−  アップリンクＤＰＣＨ情報
−  Ｅ−ＤＣＨ情報
−  Ｅ−ＡＧＣＨ情報
−  フレーム周期性＝２、オフセット０フレーム
−  競合解決ウィンドウ＝６
−  Ｅ−ＲＧＣＨ情報
−  Ｅ−ＨＩＣＨ情報
−  ＤＬ  Ｆ−ＤＰＣＨ情報
−  Ｅ−ＤＣＨ開始時刻
−  Ｅ−ＤＣＨ  ＴＴＩ
−  １０ミリ秒
−  最大アップリンク送信電力
Ｅ−ＤＣＨ構成２：
−  Ｅ−ＤＣＨ構成指数
−  ２
−  アップリンクＤＰＣＨ情報
−  Ｅ−ＤＣＨ情報
−  Ｅ−ＡＧＣＨ情報
−  フレーム周期性＝２、オフセット１フレーム
競合解決ウィンドウ＝４
−  Ｅ−ＲＧＣＨ情報
−  Ｅ−ＨＩＣＨ情報
−  ＤＬ  Ｆ−ＤＰＣＨ情報
−  Ｅ−ＤＣＨ開始時刻
−  Ｅ−ＤＣＨ  ＴＴＩ
−  ２ミリ秒
−  最大アップリンク送信電力
【０１６５】
この例では、第１のＵＥ−１  １２０２と第２のＵＥ−２  １２０４など、２台のＵＥがＥ−ＤＣＨ  ＲＡＣＨ手順を正常に行っており、その結果、第１のＵＥ−１  １２０２に前述の第１のＥ−ＤＣＨ構成１が割り当てられ、第２のＵＥ−２  １２０４にアップリンク伝送のための前述の第２のＥ−ＤＣＨ構成２が割り当てられているものと仮定する。
【０１６６】
さらに、図１２には、１０ミリ秒の長さのフレームＳＦＮ＃ｉ１２０８を有する、第１のＵＥ−１  １２０２のための（１０ミリ秒の）第１のＥ−ＡＧＣＨ１２０６と、第２のＵＥ−１  １２０４のための（１０ミリ秒の）第２のＥ−ＡＧＣＨも示されている。
【０１６７】
この例では、第１のＵＥ−１  １２０２は、オフセットＴ２で無線フレームＳＦＮ＃ｉ１２１２においてＥ−ＤＣＨ構成１を使用してそのアップリンク伝送を開始し、他方第２のＵＥ−２  １２０４は、オフセットＴ３で無線フレームＳＦＮ＃ｉ＋１  １２１４においてＥ−ＤＣＨ構成２を使用してそのアップリンク伝送を開始する。
【０１６８】
さらに、この例では、第１のＵＥ−１  １２０２のための競合解決およびスケジューリングを以下のように適用することができる。
【０１６９】
第１のＵＥ−１  １２０２は、競合解決およびスケジューリングのためのリソース特有のＤＲＸサイクル（この例では、ＤＲＸサイクルは２フレームである）においてのみＥ−ＡＧＣＨ１２０６フレーム伝送をモニタする。
【０１７０】
第１の競合解決ウィンドウ１２１６（すなわち、ＳＦＮ＃ｉからＳＦＮ＃ｉ＋５までの最初の６無線フレーム）において、個々のＮｏｄｅＢは、第１のＥ−ＡＧＣＨ１２０６上で１つもしくは複数の競合解決コマンド、または１つもしくは複数のスケジューリング許可を送ることができる。第１の競合解決ウィンドウ１２１６の後、この例では、個々のＮｏｄｅＢは、第１のＥ−ＡＧＣＨ１２０６上でスケジューリング許可だけを送る（競合解決コマンドは送らない）。第１のＥ−ＡＧＣＨ１２０６は、１つの競合解決コマンドまたはＥ−ＤＣＨ絶対許可を搬送することができ、これはＥ−ＡＧＣＨフレームの５個すべてのサブフレームにおいて送信される。
【０１７１】
第２のＵＥ−２  １２０４のための競合解決およびスケジューリングは以下のように適用することができる。
【０１７２】
第２のＵＥ−２  １２０４は、競合解決およびスケジューリングのためのリソース特有のＤＲＸサイクルにおいてのみＥ−ＡＧＣＨ１２１０フレーム伝送をモニタする。
【０１７３】
第２の競合解決ウィンドウ１２１８（すなわちＳＦＮ＃ｉ＋１からＳＦＮ＃ｉ＋４までの最初の４無線フレーム）において、個々のＮｏｄｅＢは、Ｅ−ＡＧＣＨ１２１０上で１つもしくは複数の競合解決コマンドまたは１つもしくは複数のスケジューリング許可を送ることができる。第２の競合解決ウィンドウ１２１８の後、個々のＮｏｄｅＢは、Ｅ−ＡＧＣＨ１２１０上でスケジューリング許可だけを送る（競合解決コマンドは送らない）。Ｅ−ＡＧＣＨ１２１０フレームは、２ミリ秒の長さの１つの競合解決コマンドまたはＥ−ＤＣＨ絶対許可を搬送することができる。すなわち、第２のＵＥ−２  １２０４は、Ｅ−ＡＧＣＨフレーム全体をモニタし、どのサブフレーム上でその競合解決コマンドまたはＥ−ＤＣＨ絶対許可が送信されるかチェックする。
【０１７４】
様々な実施形態は、以下の特性を有するＣＥＬＬ＿ＦＡＣＨ状態におけるＥ−ＤＣＨトランスポートチャネルの競合解決およびスケジューリングのための解決策を提供し、実施形態によって、以下に示す特徴を、任意の組み合わせで提供することができる。
【０１７５】
各共通Ｅ−ＤＣＨ構成ごとに、Ｅ−ＡＧＣＨフレーム伝送のためのリソース特有のＤＲＸサイクルを定義することができる。
【０１７６】
選択された共通Ｅ−ＤＣＨ構成に応じて、ＵＥは、競合解決およびスケジューリングのためのリソース特有のＤＲＸサイクルにおいてのみＥ−ＡＧＣＨフレーム伝送をモニタすることができる。
【０１７７】
第１の伝送ウィンドウ（競合解決ウィンドウと呼ぶこともできる）において、ネットワーク（ＲＮＣまたは基地局、ＮｏｄｅＢまたはＮｏｄｅＢなど）は、Ｅ−ＡＧＣＨ上でスケジューリング許可および競合解決コマンドを送ることができるものとすることができる。
【０１７８】
第１の伝送ウィンドウ（競合解決ウィンドウと呼ぶこともできる）の後、ネットワーク（ＲＮＣまたは基地局、ＮｏｄｅＢまたはＮｏｄｅＢなど）は、Ｅ−ＡＧＣＨ上でスケジューリング許可だけしか送ることができないものとすることができる。
【０１７９】
競合解決およびスケジューリングのための手順は、Ｅ−ＤＣＨリソースのＴＴＩにかかわらず実行することができる。
【０１８０】
以上、本発明を、具体的実施形態を参照して詳細に図示し、説明してきたが、添付の特許請求の範囲で定義される本発明の趣旨および範囲を逸脱することなく、本発明において様々な形態および詳細の変更を加えることができることを当業者は理解するはずである。よって本発明の範囲は、添付の特許請求の範囲によって示されており、したがって、この特許請求の範囲と等価の意味および範囲に含まれるあらゆる変更は包含されるべきものである。
【図１】
0005450593.tif 000002
【図２】
0005450593.tif 000003
【図３】
0005450593.tif 000004
【図４】
0005450593.tif 000005
【図５】
0005450593.tif 000006
【図６】
0005450593.tif 000007
【図７】
0005450593.tif 000008
【図８】
0005450593.tif 000009
【図９】
0005450593.tif 000010
【図１０】
0005450593.tif 000011
【図１１】
0005450593.tif 000012
【図１２】
0005450593.tif 000013